(57)【要約】【課題】施工現場にて設備を容易に支持できる支持体を提供する。【解決手段】支持体１は、鉄鋼製で棒状の第１の支持部材２と、第１の支持部材２に挿入された鉄鋼製で棒状の第２の支持部材３と、第１の支持部材２の一端に取り付けられ、第２の支持部材３の少なくとも一部が第１の支持部材２に挿入された状態で第２の支持部材３を第１の支持部材２に固定する鉄鋼製の長さ調節器具（長さ調節手段の一例である。）４と、第１の支持部材２の他端に取り付けられたゴム製で断面略Ｌ字形状を有する受け部材５と、第１の支持部材２から引き出された、第２の支持部材３の一端に取り付けられていると共に、第２の支持部材３を全方位に傾斜させるゴム製の台部６とを備える。【選択図】図１
2008127794.tif 000002
【特許請求の範囲】
【請求項１】
第１の支持部材と、
該第１の支持部材内に挿入可能な第２の支持部材と、
前記第１の支持部材の一端に取り付けられ、前記第２の支持部材の少なくとも一部が前記第１の支持部材に挿入された状態で前記第２の支持部材を前記第１の支持部材に固定する長さ調節手段と、
前記第１の支持部材の他端に取り付けられる弾性部材で構成された受け部材とを備えた
支持体。
【請求項２】
前記受け部材は、断面略Ｌ字形状を有する
請求項１に記載の支持体。
【請求項３】
前記第１の支持部材から引き出された、前記第２の支持部材の一端に取り付けられると共に、前記第２の支持部材を全方位に傾斜させる台部を備えた
請求項１に記載の支持体。
【請求項４】
前記台部は、弾性体で構成された
請求項３に記載の支持体。
【請求項５】
前記長さ調節手段は、力が加えられていない場合に前記第２の支持部材を前記第１の支持部材に固定すると共に、力が加えられている場合に固定を解除するレバーで構成された
請求項１に記載の支持体。
【発明の詳細な説明】
【技術分野】
【０００１】
本発明は支持体に関する。詳しくは、吊り戸棚等を壁の上方に取り付ける際に吊り戸棚等を支持するための支持体に係るものである。
【背景技術】
【０００２】
家庭の台所や店舗の調理場には、壁に沿って上部に吊り戸棚が取り付けられている。台所や調理場では、軽いけれども場所をとるもの例えば、ザル、ボウル、干し椎茸等の乾物をしまっておく場所として重宝するのが吊り戸棚である。
また、台所と食堂の間に厨房家具を取り付ける対話式キッチンでは、台所で料理等を行ないながら、食堂にいる人と対話したり、小さい子供の様子を見たりすることができて便利である。このような対話式キッチンにおいて、厨房家具の上方に吊り戸棚を設ける場合には、台所と食堂との間に下方の壁のない垂れ壁を天井から吊り下げ、この垂れ壁に吊り戸棚を固定している。
【０００３】
また、現場施工期間を短縮できると共に、寸法精度の良い標準化された建物となることから、運搬可能で内部外部が仕上げられた建物ユニットを、予め工場で製造し、施工現場に運搬して施工現場で組み立てる組立建物が広く採用されている。
【０００４】
例えば、図３は、従来の建物ユニットの骨組みを説明する説明図であるが、工場で製造した台所用建物ユニット１０１は食堂側に垂れ壁１０２と腰壁１０３とが設けられ、垂れ壁１０２には吊り戸棚１０４が取り付けられ、腰壁１０３には厨房家具（図示せず。）が腰壁１０３を背にして取り付けられ、食堂用建物ユニット１０６の台所側には、台所用建物ユニット１０１に相対する位置に垂れ壁１６１と腰壁１６２が設けられ、台所用建物ユニット１０１から食堂用建物ユニット１０６へ通ずる出入口１０７が形成され、腰壁１０３の出入口１０７側に設けられた柱１８１と、垂れ壁１０２の出入口１０７側に設けられた１８２と、この間の柱１８３とが一体となった柱１０８があり、腰壁１６２の出入口１０７側に設けられた柱１８６と、垂れ壁１６１の出入口１０７側に設けられた柱１８７と、この間の柱１８８とが一体となった柱１８５がある（例えば、特許文献１参照。）。
また、特許文献１には、工場で台所用建物ユニット１０１を製造する際、腰壁１０３の出入口１０７側に設けられている柱１８１と垂れ壁１０２の出入口１０７側に設けられている柱１８２とは、その間の柱１８３で連結されて柱１０８となっている、即ち、柱１０８を床から天井に差し渡して取り付け、この柱１０８の上方に垂れ壁１０２を、また、柱１０８の下方に腰壁１０３を製造し、その後、この垂れ壁１０２に吊り戸棚１０４を取り付け、腰壁１０３に厨房家具を取り付ける旨や、食堂用建物ユニット１０６を製造する際、腰壁１６２の出入口１０７側に設けられている柱１８６と垂れ壁１６１の出入口１０７側に設けられている柱１８７とは、その間の柱１８８で連結されて柱１８５となっている、即ち、柱１８５を床から天井に差し渡して取り付け、この柱１８５の上方に垂れ壁１６１を、また、柱１８５の下方に腰壁１６２を製造する旨が記載されている。
【０００５】
また、図４は、従来の台所の上部側設備ユニットを建物ユニットに取付けた状態を示す概略図であり、台所の上部側設備ユニット２１０は、吊り戸棚２１１、吊り戸棚２１２や、レンジフード２１３等のような、台所設備の上部側を構成する種々の設備から、施主により適宜選択された複数の上部側設備２１１、２１２、２１３を、建物ユニットＨの建造物構造体として組付けられる前の壁材２２０表面に並べて組付け、一体化したものである。上部側設備ユニット２１０において、各上部側設備２１１、２１２、２１３を壁材２２０に一体に組付ける方法としては、まず壁材２２０を所定の作業台上に平置きにし、その上に各設備２１１、２１２、２１３を寝かせた状態で並べて組付け固定する（例えば、特許文献２参照。）。
【０００６】
【特許文献１】特開平８−１８９１７９号公報
【特許文献２】特開２００１−３０３６７３号公報
【発明の開示】
【発明が解決しようとする課題】
【０００７】
しかしながら、従来のような工場で予め製造された建物ユニットは壁に吊り戸棚が固定されているため大型化してしまい、施工現場への運搬に大きな労力を要すると共に、このような建物ユニットを施工現場で設置する場合にも多くの補助人員が必要であった。
【０００８】
本発明は、以上の点に鑑みて創案されたものであり、施工現場にて設備を容易に支持できる支持体を提供することを目的とする。
【課題を解決するための手段】
【０００９】
上記の目的を達成するために、本発明の支持体は、第１の支持部材と、該第１の支持部材内に挿入可能な第２の支持部材と、前記第１の支持部材の一端に取り付けられ、前記第２の支持部材の少なくとも一部が前記第１の支持部材に挿入された状態で前記第２の支持部材を前記第１の支持部材に固定する長さ調節手段と、前記第１の支持部材の他端に取り付けられる弾性部材で構成された受け部材とを備えたものである。
【００１０】
ここで、弾性部材で構成された受け部材によって、支持する対象物を傷つけることを抑制できる。また、長さ調節手段が第１の支持部材の一端に取り付けられ、受け部材が第１の支持部材の他端に取り付けられていることによって、上方において吊り戸棚等の設備を受け部材で支えた状態で、下方に長さ調節手段が位置するため、例えば手が塞がっていても足を使って長さ調節手段を操作できる。
【００１１】
また、本発明の支持体において、受け部材は、断面略Ｌ字形状を有する場合、吊り戸棚等の設備の角に受け部材を適合させて確実に吊り戸棚を支えることができる。
【００１２】
また、本発明の支持体において、第１の支持部材から引き出された、第２の支持部材の一端に取り付けられると共に、第２の支持部材を全方位に傾斜させる台部を備えた場合、例えば吊り戸棚等の設備の真下が不安定な床面で支持体を真っ直ぐ立てられない場合でも、安定な別の位置の床面に台部を置いて第２の支持部材を傾斜させ、ひいては第１の支持部材も傾斜させて吊り戸棚等の設備を支えることができる。
【００１３】
また、本発明の支持体において、台部は、弾性体で構成された場合、床面を傷つけることを抑制できると共に、台部の滑りを抑制できる。
【００１４】
また、本発明の支持体において、長さ調節手段は、力が加えられていない場合に第２の支持部材を第１の支持部材に固定すると共に、力が加えられている場合に固定を解除するレバーで構成された場合、特に足で踏んだり足を離したりという単純操作で第２の支持部材を第１の支持部材に固定したり固定解除したりして支持体を簡単に伸縮させることができる。
【発明の効果】
【００１５】
本発明に係る支持体によって、施工現場にて設備を容易に支持できる。
【発明を実施するための最良の形態】
【００１６】
以下、本発明の実施の形態について図面を参照しながら説明し、本発明の理解に供する。
図１は、本発明を適用した支持体の一例を示す概略図である。図１に示すように、本発明の支持体１は、鉄鋼製でパイプ形状の第１の支持部材２と、第１の支持部材２に挿入された鉄鋼製でパイプ形状の第２の支持部材３と、第１の支持部材２の一端に取り付けられ、第２の支持部材３の少なくとも一部が第１の支持部材２に挿入された状態で第２の支持部材３を第１の支持部材２に固定する鉄鋼製の長さ調節器具（長さ調節手段の一例である。）４と、第１の支持部材２の他端に取り付けられたゴム製で断面略Ｌ字形状を有する受け部材５と、第１の支持部材２から引き出された、第２の支持部材３の一端に取り付けられていると共に、第２の支持部材３を全方位に傾斜させるゴム製の台部６とを備える。
【００１７】
また、長さ調節器具４は、第１の支持部材２の端部に取り付けられた取り付け具４Ａと、一端が取り付け具４Ａに接続した連結具４Ｂと、一端が取り付け具４Ａに接続したバネ４Ｃと、一端が連結具４Ｂ及びバネ４Ｃに接続していると共に開口部（図示せず。）に第２の支持部材３が通された固定レバー４Ｄからなる。このような構成において、例えば足で固定レバー４Ｄを踏んで力を加えて、固定レバー４Ｄを、連結具４Ｂとの接続点を支点として動かし、第２の支持部材３に対して略垂直の位置に移動させた状態が固定解除状態であり、この状態で第２の支持部材３は自由に動くことができ、また、バネ４Ｃによって固定レバー４Ｄには、第２の支持部材３に対して傾いた位置へ移動させる付勢力が付与されており、固定レバー４Ｄを踏んでいた足を離すと、固定レバー４Ｄは第２の支持部材３に対して傾いた位置に配置され、開口部（図示せず。）の縁が第２の支持部材３に圧接して第２の支持部材３の滑走を阻止し、第２の支持部材３は第１の支持部材２に固定される。
【００１８】
また、第１の支持部材２内に第２の支持部材３が挿入された状態で第２の支持部材３が滑走できるよう、第２の支持部材３の外径は、第１の支持部材２の内径よりも僅かに小さく形成されており、また、第１の支持部材２の長さは約１ｍ５０ｃｍ、第２の支持部材３の長さは約１ｍである。
【００１９】
また、受け部材５が一端に取り付けられ、長さ調節器具４が他端に取り付けられた第１の支持部材２を、長さ調節器具４が下方に位置するよう縦に配置して本発明の支持体１を使用するが、支持体が、第１の支持部材の一端に取り付けられ、第２の支持部材の少なくとも一部が第１の支持部材に挿入された状態で第２の支持部材を第１の支持部材に固定する長さ調節手段と、第１の支持部材の他端に取り付けられる弾性部材で構成された受け部材とを備える限り、必ずしも第１の支持部材２の長さは約１ｍ５０ｃｍでなくてもよく、また第２の支持部材３の長さは必ずしも１ｍでなくてもよく、どのような長さであってもよい。また、第１の支持部材２と第２の支持部材３は必ずしも互いに同じ長さを有していなくてもよく、例えば一方を長く、他方を短くしてもよい。
また、支持体が、第１の支持部材の一端に取り付けられ、第２の支持部材の少なくとも一部が第１の支持部材に挿入された状態で第２の支持部材を第１の支持部材に固定する長さ調節手段と、第１の支持部材の他端に取り付けられる弾性部材で構成された受け部材とを備える限り、受け部材の形状は、必ずしも断面略Ｌ字形状でなくてもよく、例えば平板形状であってもよく、また、長さ調節手段は必ずしもバネ付きのレバーで構成されていなくてもよい。
また、支持体が、第１の支持部材の一端に取り付けられ、第２の支持部材の少なくとも一部が第１の支持部材に挿入された状態で第２の支持部材を第１の支持部材に固定する長さ調節手段と、第１の支持部材の他端に取り付けられる弾性部材で構成された受け部材とを備える限り、必ずしも支持体は、第２の支持部材を全方位に傾斜させる台部を備えていなくてもよく、また、台部は必ずしもゴム製でなくてもよい。
【００２０】
また、受け部材５や台部６に吸盤機能が備われば、しっかりと吊り戸棚に受け部材５が固定されたり、床に台部６がしっかりと固定されたりして、更に安定して吊り戸棚を支持できる。
また、受け部材５を着脱可能に第１の支持部材の一端に取り付けられていれば、支持される設備の形状に合った形状の受け部材に交換することができる。
また、支持体１の材質は、吊り戸棚等の設備を支持できる材質であれば必ずしも鉄鋼製でなくてもよく、例えば樹脂製、アルミニウム製であってもよい。
また、吊り戸棚等の設備と接触する受け部材の面や、床面と接触する台部の面に、凹凸を形成して接触面積を増加させ（アンカー効果）、設備や床面との密着性を向上させて台部を滑りにくくしてもよい。
【００２１】
次に、本発明を適用した支持体の具体的な使用例を説明する。
支持体１を使用しないときは、所定の場所に保管するために、長さ調節器具４の固定レバー４Ｄを足で踏んで力を加えて固定解除状態とし、第１の支持部材２の奥まで第２の支持部材３を滑走させて支持体１を可能な限り短くする。そして、固定レバー４Ｄから足を離して固定レバー４Ｄをバネ４Ｃの力で傾かせて、開口部（図示せず。）の縁を第２の支持部材３に圧接させて固定すると、支持体１の短くなった状態が維持される。
【００２２】
図２は、施行現場にて、本発明を適用した支持体を用いて吊り戸棚を取り付ける様子の一例を説明する概略図である。
先ず、吊り戸棚１０を取り付け位置まで持ち上げると共に、天井７及び壁８に密着させる。そして、短くなっている支持体１の台部６を床９につけて固定レバー４Ｄを足で踏み、固定解除状態とし、第１の支持部材２から第２の支持部材３を引き出し、吊り戸棚１０に第１の支持部材２の受け部材５を接触させる。そして、固定レバー４Ｄから足を離して固定レバー４Ｄをバネ４Ｃの力で傾かせて、開口部（図示せず。）の縁を第２の支持部材３に圧接させて、第２の支持部材３の滑走を阻止した状態で第２の支持部材３を第１の支持部材２に固定する。これにより、吊り戸棚１０を支持体１によって支持し、このように吊り戸棚１０を支持した状態でビス等を用いて壁８に吊り戸棚１０を取り付ける。
また、図２に示す例は、台所において流し台を設置する前の吊り戸棚１０の取り付け例であり、支持体１を２つ使用した例である。図２において、流し台に接続するための配管１１が、床９に形成されていると共に吊り戸棚１０の真下にある窪みに配置されており、２つの支持体１のうち、一方は吊り戸棚１０の下面を支持するために使用され、吊り戸棚１０の下方においてまっすぐ延びているが、他方は吊り戸棚１０の角を支持するために使用され、配管１１の位置との兼ね合いもあり、吊り戸棚１０の斜め前方から、ユニバーサルジョイント（図示せず。）を備える台部６が第２の支持部材３を傾斜させている。なお、１つの支持体１でも吊り戸棚１０を充分に支持できるのであれば、必ずしも支持体を２つ使用しなくてもよいことは勿論である。
また、複数の吊り戸棚１０を隣接させて、吊り戸棚同士の接触個所を支持体１で支持して、複数の吊り戸棚を設置することもできる。
また、吊り戸棚１０の下面を支持する支持体１の受け部材５は、平板形状を有しているのに対し、吊り戸棚１０の角を支持する支持体１の受け部材５は、断面略Ｌ字形状を有している。
なお、固定レバーではなく、回転ネジを用いて所定の方向に回転ネジを回して支持体の長さを調節することも考えられるが、回転させるためには手を用いる必要があり、施工現場では両手が塞がった状態で長さ調節が必要となる場合もあるため、足で押したり、足を離したりして長さ調節を行なうことができる固定レバーの方が、使い勝手がよくて好ましい。
【００２３】
このように、本発明の支持体は、第１の支持部材と、第１の支持部材内に挿入可能な第２の支持部材と、第１の支持部材の一端に取り付けられ、第２の支持部材の少なくとも一部が第１の支持部材に挿入された状態で第２の支持部材を第１の支持部材に固定する長さ調節手段と、第１の支持部材の他端に取り付けられる弾性部材で構成された受け部材とを備えているので、弾性部材で構成された受け部材によって、支持する対象物を傷つけることを抑制でき、また、長さ調節手段が第１の支持部材の一端に取り付けられ、受け部材が第１の支持部材の他端に取り付けられていることによって、上方において吊り戸棚を受け部材で支えた状態で、下方に長さ調節手段が位置するため、ちょうど作業者の足付近に長さ調節手段が位置することになり、手が塞がっていても足を使って長さ調節手段を操作でき、作業効率が向上し、施工現場にて吊り戸棚等の設備を容易に支持できる。
【００２４】
また、受け部材は、断面略Ｌ字形状を有するので、吊り戸棚の角に受け部材を適合させて確実に吊り戸棚を支えることができる。
【００２５】
また、第１の支持部材から引き出された、第２の支持部材の一端に取り付けられると共に、第２の支持部材を全方位に傾斜させる台部を備えているので、例えば吊り戸棚の真下が不安定な床面で支持体を真っ直ぐ立てられない場合でも、安定な別の位置の床面に台部を置いて第２の支持部材を傾斜させ、ひいては第１の支持部材も傾斜させて吊り戸棚を支えることができる。
【００２６】
また、台部は、弾性体で構成されているので、床面を傷つけることを抑制できると共に、台部の滑りを抑制でき、安定して吊り戸棚等の設備を支持できる。
【００２７】
また、長さ調節手段は、力が加えられていない場合に第２の支持部材を第１の支持部材に固定すると共に、力が加えられている場合に固定を解除するレバーで構成されているので、特に足で踏んだり足を離したりという単純操作で第２の支持部材を第１の支持部材に固定したり固定解除したりして支持体を簡単に伸縮させることができる。
【００２８】
また、本発明の支持体にて吊り戸棚を容易に支持できるので、少ない人数で吊り戸棚を設置でき、見る者に雑然とした印象を与えてあまり印象がよくない大勢による吊り戸棚の設置作業風景よりも作業風景の見栄えがよく、見る者への印象がよい。
【図面の簡単な説明】
【００２９】
【図１】本発明を適用した支持体の一例を示す概略図である。
【図２】施行現場にて、本発明を適用した支持体を用いて吊り戸棚を取り付ける様子の一例を説明する概略図である。
【図３】従来の建物ユニットの骨組みを説明する説明図である。
【図４】従来の台所の上部側設備ユニットを建物ユニットに取付けた状態を示す概略図である。
【符号の説明】
【００３０】
１    支持体
２    第１の支持部材
３    第２の支持部材
４    長さ調節器具
４Ａ  取り付け具
４Ｂ  連結具
４Ｃ  バネ
４Ｄ  固定レバー
５    受け部材
６    台部
７    天井
８    壁
９    床
１０    吊り戸棚
１１    配管
【図１】
2008127794.tif 000003
【図２】
2008127794.tif 000004
【図３】
2008127794.tif 000005
【図４】
2008127794.tif 000006